(57)【要約】【課題】主ケーブル外周の任意の位置に従ケーブルを安定した状態で併設でき、また、従ケーブルの外周に対してもサブクランプのベルト部をしっかりと取り付け可能にする。【解決手段】主ケーブルの外周に取り付けられるメインクランプ１０のベルト部１６に、従ケーブルの外周に取り付けられるサブクランプを結合することにより、主ケーブルに従ケーブルを併設可能としたベルトクランプであって、メインクランプ１０のベルト部１６に対して、その長さ方向へスライド可能に取り付けられ、かつ、サブクランプに設けられた保持部に対して互いに結合可能なロック部材３０と、このロック部材３０において、メインクランプ１０のベルト部１６が有する既存の歯列１６ａに係合可能に設けられたロック爪と、を備えている。【選択図】        図５
2006204060.tif 000002
【特許請求の範囲】
【請求項１】
主ケーブルの外周に取り付けられるメインクランプのベルト部に、従ケーブルの外周に取り付けられるサブクランプを結合することにより、主ケーブルに従ケーブルを併設可能としたベルトクランプであって、
メインクランプのベルト部に対して、その長さ方向へスライド可能に取り付けられ、かつ、サブクランプに設けられた保持部に対して互いに結合可能なロック部材と、このロック部材において、メインクランプのベルト部が有する既存の歯列に係合可能に設けられたロック爪と、を備えているベルトクランプ。
【請求項２】
請求項１に記載されたベルトクランプであって、
ロック部材は、メインクランプのベルト部を挿通させるためのベルト挿通部が設けられた座部を備え、この座部における片側のほぼ中央にサブクランプの保持部と結合される結合部が位置し、反対側のほぼ中央にロック爪が位置しているベルトクランプ。
【請求項３】
請求項２に記載されたベルトクランプであって、
ロック部材のロック爪は、座部に対して弾性による操作可能に形成されたレバー部に設けられ、このレバー部の操作により、メインクランプのベルト部の歯列に対するロック爪の係合を外すことが可能に構成されているベルトクランプ。
【請求項４】
請求項３に記載されたベルトクランプであって、
ロック部材のレバー部は、その結合部に結合されたサブクランプの保持部により、ロックの解除操作が阻止されるように設定されているベルトクランプ。
【発明の詳細な説明】
【技術分野】
【０００１】
本発明は、ワイヤハーネスなどの主ケーブルに、別のワイヤハーネスやホースなどの従ケーブルを併設するためのベルトクランプに関する。
【背景技術】
【０００２】
この種のベルトクランプには、そのバックル部の側部に、Ｃ形状のホルダー部を一体に樹脂成形した構成のものがある。このベルトクランプを、ワイヤハーネスなどの主ケーブル外周に締め付けて取り付けた後、Ｃ形状のホルダー部に従ケーブル（別のワイヤハーネス、単線、ホースなど）を取り付ける。これにより、主ケーブルに対して従ケーブルが併設される。
なお、ベルトクランプに関する一般的な技術としては、例えば特許文献１に開示されている。
【特許文献１】特開2003-028111号公報
【発明の開示】
【発明が解決しようとする課題】
【０００３】
従来のベルトクランプでは、これを主ケーブルに取り付けた状態でのバックル部（Ｃ形状のホルダー部）の位置によって従ケーブルの併設位置が決まってしまう。このため、主ケーブルの径の違いなどにより、従ケーブルの併設位置が変化することがある。また、従ケーブルは、Ｃ形状のホルダー部でクランプされるため、従ケーブルの径の違いを吸収できず、このホルダー部から従ケーブルが外れやすい。
【０００４】
本発明は、このような課題を解決しようとするもので、その目的は、主ケーブル外周の任意の位置に従ケーブルを安定した状態で併設でき、また、従ケーブルの外周に対してもサブクランプのベルト部をしっかりと取り付け可能にすることである。
【課題を解決するための手段】
【０００５】
本発明は、上記の目的を達成するためのもので、以下のように構成されている。
請求項１に記載の発明は、主ケーブルの外周に取り付けられるメインクランプのベルト部に、従ケーブルの外周に取り付けられるサブクランプを結合することにより、主ケーブルに従ケーブルを併設可能としたベルトクランプであって、メインクランプのベルト部に対して、その長さ方向へスライド可能に取り付けられ、かつ、サブクランプに設けられた保持部に対して互いに結合可能なロック部材と、このロック部材において、メインクランプのベルト部が有する既存の歯列に係合可能に設けられたロック爪と、を備えている。
【０００６】
この構成によれば、メインクランプのベルト部に沿ってロック部材をスライドさせ、任意の位置でロック爪を歯列に係合させることにより、その位置でメインクランプのベルト部にロック部材をロックすることができる。したがって、メインクランプを主ケーブルの外周に取り付け、かつ、従ケーブルの外周に取り付けたサブクランプの保持部をロック部材に結合することにより、主ケーブルの径の違いにかかわらず、その外周の任意の位置に従ケーブルを安定した状態で併設できる。また、従ケーブルについても、その外周にサブクランプのベルト部が締め付けられるため、相互がしっかりと取り付けられる。
【０００７】
請求項２に記載の発明は、請求項１に記載されたベルトクランプであって、ロック部材は、メインクランプのベルト部を挿通させるためのベルト挿通部が設けられた座部を備えている。この座部における片側のほぼ中央にサブクランプの保持部と結合される結合部が位置し、反対側のほぼ中央にロック爪が位置している。
【０００８】
これにより、主ケーブルに従ケーブルを併設した状態において、メインクランプのベルト部の歯列に対するロック爪の係合が外れにくく、結果としてメインクランプのベルト部に対するロック部材のロックが安定する。
【０００９】
請求項３に記載の発明は、請求項２に記載されたベルトクランプであって、ロック部材のロック爪は、座部に対して弾性による操作可能に形成されたレバー部に設けられている。このレバー部の操作により、メインクランプのベルト部の歯列に対するロック爪の係合を外すことが可能に構成されている。
【００１０】
この場合、レバー部を操作することによってメインクランプのベルト部に対するロック部材のロックを解除でき、その状態でロック部材をメインクランプのベルト部に沿って円滑にスライドさせることができる。
【００１１】
請求項４に記載の発明は、請求項３に記載されたベルトクランプであって、ロック部材のレバー部は、その結合部に結合されたサブクランプの保持部により、ロックの解除操作が阻止されるように設定されている。
【００１２】
これにより、主ケーブルに従ケーブルを併設した状態では、メインクランプのベルト部に対するロック部材のロックが保持され、主ケーブルの周方向に関して従ケーブルがずれ動くことが防止される。
【発明を実施するための最良の形態】
【００１３】
以下、本発明を実施するための最良の形態を、図面を用いて説明する。
図１は、二種類のクランプを組み合わせた状態を表した斜視図である。この図面で示すように、本発明のベルトクランプは、メインクランプ１０とサブクランプ２０とを組み合わせて使用することが可能となっている。両クランプ１０，２０の構成を大別すると、個々にバックル部１２，２２とベルト部１６，２６を備えている。そして、両クランプ１０，２０は、それぞれ合成樹脂材による一体成形品であって、バックル部１２，２２の一側部に所定の長さをもつベルト部１６，２６の基端部が結合されている。
【００１４】
メインクランプ１０のバックル部１２は、図１の上下方向に貫通したベルト挿入部分１２ａを備えている。このベルト挿入部分１２ａに対し、図１の下側からベルト部１６を挿通させることが可能である。また、バックル部１２は、ベルト部１６が結合されている箇所の反対側部において係止脚１４およびスタビライザ１５を備えている。一方、ベルト部１６の片側面には、その長さ方向に沿って歯列１６ａが一定ピッチで形成されている。そこで、ベルト部１６を、バックル部１２のベルト挿入部分１２ａに挿通させて引き締めることにより、ベルト挿入部分１２ａ内に位置している係合爪（図示省略）に、歯列１６ａのうちの幾つか（二個以上）が係合する。これにより、ベルト部１６はその引き締め位置でバックル部１２側にロックされる。
【００１５】
図２は、サブクランプ２０を表した平面図である。図３は、図２のA-A矢視方向の拡大断面図である。図４は、図３の左側面図である。これらの図面で示されているサブクランプ２０についても、図３の上下方向に貫通したベルト挿入部分２２ａを備え、その内部には係合爪２２ｂが設けられている。また、ベルト部２６の片側面には、その長さ方向に沿って歯列２６ａが一定ピッチで形成されている。このベルト部２６を、ベルト挿入部分２２ａに対して図３の上側から挿通させて引き締めることにより、歯列２６ａのうちの幾つかが係合爪２２ｂに係合し、メインクランプ１０の場合と同様にベルト部２６がその引き締め位置でバックル部２２側にロックされる。
【００１６】
サブクランプ２０のバックル部２２は、ベルト部２６が結合されている箇所の反対側において保持部２４を備えている。この保持部２４には、ベルト挿入部分２２ａとほぼ同様に図３の上下方向に貫通した挿入部分２４ａがある。この挿入部分２４ａには、つぎに説明するロック部材３０の結合部３４を挿入することが可能であり、挿入部分２４ａの平面形状はロック部材３０の結合部３４と対応させたＨ形状になっている（図２）。また、挿入部分２４ａの内壁には、図３で示すように係合突起２４ｂが設けられている。この係合突起２４ｂは、挿入部分２４ａを構成する壁の一部である操作部分２４ｃに形成されている。この操作部分２４ｃは、その両側において挿入部分２４ａの壁と部分的に分離されている（図４）。これにより、操作部分２４ｃは、係合突起２４ｂと共に保持部２４の外側方向（図３の左方向）へ樹脂材の弾性によって撓ませることが可能である。
【００１７】
図５は、ロック部材３０をメインクランプ１０の一部と共に表した斜視図である。図６はロック部材３０の平面図、図７はロック部材３０の正面図、図８は図７のB-B矢視方向の断面図である。これらの図面で示すように、ロック部材３０の構成は、座部３２と結合部３４とに大別される。結合部３４は、座部３２の上面から立ち上がった格好に位置しており、中央壁３４ａとその両サイドの側壁３４ｃとによって構成されている。これらの中央壁３４ａおよび両側壁３４ｃの先端部は、サブクランプ２０における保持部２４の挿入部分２４ａに対する結合部３４の挿入を円滑にするための斜面となっている（図５，８）。また、中央壁３４ａには挿入部分２４ａの内壁に設けられた係合突起２４ｂと係合可能な係合孔３４ｂが設けられている。なお、中央壁３４ａは、座部３２における上面側のほぼ中央に位置している。
【００１８】
ロック部材３０の座部３２は、その下面側においてベルト挿通部３６を備えている。このベルト挿通部３６に対し、図５で示すようにメインクランプ１０のベルト部１６を挿通させることができる。すなわち、ベルト挿通部３６は、座部３２の下面から突出させた一対の支承部分３６ａを有する（図７）。これらの支承部分３６ａの先端は、それぞれ内方に向かって曲がっており、ベルト部１６を下側から支持するようになっている。
【００１９】
ベルト挿通部３６内における座部３２の下面には、ベルト部１６の歯列１６ａと係合可能なロック爪３８が設けられている。このロック爪３８は、座部３２における下面側のほぼ中央に位置している（図８）。また、ロック爪３８は、座部３２の一部を構成するレバー部３７に設けられている。このレバー部３７は、その両側において座部３２と部分的に分離されている（図４）。これにより、レバー部３７はロック爪３８と共に図５，８の上方向へ樹脂材の弾性によって撓ませることが可能である。
【００２０】
つづいてメインクランプ１０とサブクランプ２０とを結合する手順について説明する。
まず、メインクランプ１０とロック部材３０とを結合すべく、メインクランプ１０のベルト部１６を、その歯列１６ａを上面にしてロック部材３０のベルト挿通部３６に挿通させる（図５）。ベルト挿通部３６に対するベルト部１６の挿通により、その歯列１６ａの一つがベルト挿通部３６内のロック爪３８に係合するが、レバー部３７を上方向へ撓ませることにより、歯列１６ａとロック爪３８との係合を外した状態に保つことができる。したがって、ロック部材３０をベルト部１６に沿って任意の位置にスライドさせることができる。そして、任意の位置でレバー部３７を元の状態に戻すことにより、ロック爪３８が歯列１６ａの一つに係合し、その位置においてロック部材３０がベルト部１６に対してロックされる。
【００２１】
つぎに、サブクランプ２０の保持部２４とロック部材３０の結合部３４とを結合する。図９は、この結合状態を表した断面図である。この図面で示すように、保持部２４の挿入部分２４ａに対し、図３の上側から結合部３４が挿入されている。この挿入により、挿入部分２４ａ内の係合突起２４ｂが結合部３４の係合孔３４ｂに係合する。このため、保持部２４と結合部３４とが抜け止め状態に保持され、保持部２４とロック部材３０とが互いに結合される。また、保持部２４における挿入部分２４ａの平面形状は、結合部３４の中央壁３４ａおよび両側壁３４ｃが挿入されるＨ形状をしているため、保持部２４とロック部材３０との結合状態は安定する。
【００２２】
サブクランプ２０の保持部２４とロック部材３０とが結合された状態では、保持部２４の端面がロック部材３０の座部３２に接触している。したがって、レバー部３７を上方向へ撓ませることができず、歯列１６ａとロック爪３８とが係合状態に保持され、ベルト部１６に対するロック部材３０のスライドが防止される。そこで、ロック部材３０の位置を変更したい場合は、ロック部材３０から保持部２４を取り外した後、ロック部材３０のレバー部３７を上方向へ撓ませて歯列１６ａとロック爪３８との係合（ロック）を解除すればよい。なお、ロック部材３０から保持部２４を取り外すには、保持部２４の操作部分２４ｃを外方向へ撓ませて、係合突起２４ｂと結合部３４の係合孔３４ｂとの係合を外す。
【００２３】
図１０は、主ケーブルに従ケーブルを併設した状態を表した説明図である。この図面で示すように、メインクランプ１０は、そのベルト部１６をワイヤハーネス４０（主ケーブル）の外周にループ状に巻き付け、かつ、このベルト部１６をバックル部１２のベルト挿入部分１２ａに挿通させて引き締める。これにより、すでに説明したようにベルト部１６はその引き締め位置でバックル部１２側にロックされる。一方、サブクランプ２０のベルト部２６は、別のワイヤハーネス４１（従ケーブル）の外周にループ状に巻き付け、バックル部２２のベルト挿入部分２２ａに挿通させて引き締める。これによってベルト部２６がその引き締め位置でバックル部２２側にロックされる。
【００２４】
サブクランプ２０の保持部２４は、メインクランプ１０のベルト部１６に対してロック部材３０を通じて結合されているので、図１０で示すように主ケーブルであるワイヤハーネス４０に従ケーブルであるワイヤハーネス４１が併設される。なお、メインクランプ１０の係止脚１４は、車体などのプレート５０に開けられている取付け孔５１に差し込まれ（図１０）、それによって両ワイヤハーネス４０，４１がプレート５０に対して共に位置決めされる。
【００２５】
なお、主ケーブルであるワイヤハーネス４０に従ケーブルであるワイヤハーネス４１を併設するための作業手順としては、メインクランプ１０およびサブクランプ２０を個々のワイヤハーネス４０，４１の外周に取り付けた後、それぞれのクランプ１０，２０を結合するのが現実的である。すなわち、メインクランプ１０のベルト部１６をロック部材３０のベルト挿通部３６に挿通させた図５の状態で、このメインクランプ１０をワイヤハーネス４０の外周に取り付ける。このとき、既に述べたようにロック部材３０のレバー部３７を上方向へ撓ませて歯列１６ａとロック爪３８との係合を外すことにより、ベルト部１６に対するロック部材３０の位置を自由に調整することができる。そして、最後にワイヤハーネス４１の外周に取り付けられたサブクランプ２０の保持部２４とロック部材３０とを結合する。
【００２６】
以上の説明から明らかなように、メインクランプ１０のベルト部１６に対してロック部材３０をスライドさせ、既存の歯列１６ａにロック部材３０のロック爪３８を係合させることにより、その位置でベルト部１６にロック部材３０をロックすることができる。そして、このロック部材３０の結合部３４とサブクランプ２０の保持部２４とを結合することによって、ベルト部１６の任意の位置にサブクランプ２０を結合することができる。また、サブクランプ２０の保持部２４とロック部材３０とを結合した状態では、歯列１６ａに対するロック爪３８の係合（ロック）を解除することができず、歯列１６ａとロック爪３８とが係合状態に保持される。このため両ワイヤハーネス４０，４１を併設した状態において、ベルト部１６に対してロック部材３０（つまり、サブクランプ２０）がずれ動くことも解消される。
【図面の簡単な説明】
【００２７】
【図１】二種類のクランプを組み合わせた状態を表した斜視図
【図２】サブクランプを表した平面図
【図３】図２のA-A矢視方向の拡大断面図
【図４】図３の左側面図
【図５】ロック部材をメインクランプの一部と共に表した斜視図
【図６】ロック部材の平面図
【図７】ロック部材の正面図
【図８】図７のB-B矢視方向の断面図
【図９】サブクランプの保持部とロック部材の結合部との結合状態を表した断面図
【図１０】主ケーブルに従ケーブルを併設した状態を表した説明図
【符号の説明】
【００２８】
１０ メインクランプ
１６ ベルト部
１６ａ      歯列
２０ サブクランプ
２４ 保持部
３０ ロック部材
３８ ロック爪
４０ ワイヤハーネス（主ケーブル）
４１ ワイヤハーネス（従ケーブル）
【図１】
2006204060.tif 000003
【図２】
2006204060.tif 000004
【図３】
2006204060.tif 000005
【図４】
2006204060.tif 000006
【図５】
2006204060.tif 000007
【図６】
2006204060.tif 000008
【図７】
2006204060.tif 000009
【図８】
2006204060.tif 000010
【図９】
2006204060.tif 000011
【図１０】
2006204060.tif 000012